(57)【要約】      （修正有）【課題】作業効率が良く、安全性も高い感光性平版印刷版の載置方法及びそれに用いられる感光性平版印刷版用包装外箱を提供する。【解決手段】複数枚の感光性平版印刷版を重ね合わせた堆積物を包装するための包装外箱４であって、開封面を、感光性層側の面１及び支持体側の面の何れの側にも有することを特徴とする感光性平版印刷版用包装外箱。【選択図】図２
2006168376.tif 000002
【特許請求の範囲】
【請求項１】
複数枚の感光性平版印刷版を重ね合わせた堆積物を包装するための包装外箱であって、開封面を、感光性層側の面及び支持体側の面の何れの側にも有することを特徴とする感光性平版印刷版用包装外箱。
【請求項２】
複数枚の感光性平版印刷版を重ね合わせた堆積物を包装するための包装外箱であって、開封面を側面に有することを特徴とする感光性平版印刷版用包装外箱。
【請求項３】
複数枚の感光性平版印刷版を重ね合わせた堆積物を包装するための包装外箱であって、４面の側面の内少なくとも対向する２面に強度保持材を有することを特徴とする請求項１または２に記載の感光性平版印刷版用包装外箱。
【請求項４】
感光性平版印刷版が、レーザー露光装置で露光されるものである請求項１乃至３に記載の感光性平版印刷版用包装外箱。
【請求項５】
感光性平版印刷版がポジ型であることを特徴とする請求項１乃至４に記載の感光性平版印刷版用包装外箱。
【請求項６】
請求項１乃至５に記載の感光性平版印刷版用包装外箱を開封し、感光性平版印刷版を取り出し、該感光性平版印刷版を露光装置へ供給するための載置台に載置する方法であって、該包装外箱が、感光層側の面が上になっている状態から該包装外箱を上下逆にして支持体側の面を上にし、該包装外箱を開封して感光性平版印刷版を取り出すことを特徴とする、感光性平版印刷版の載置方法。
【発明の詳細な説明】
【技術分野】
【０００１】
本発明は、感光性平版印刷版用の包装外箱に関する。
【背景技術】
【０００２】
従来より感光性平版印刷版は新聞印刷、商業印刷等に広く使用されている。近年、感光性平版印刷版の露光から現像、印刷に至るまで、装置の自動化が進んでおり、印刷版自体も、それら装置の仕様に適合していなければ、使用できない状況も増加している。感光性平版印刷版に係わる装置の自動化の一つに、露光装置への給版が挙げられる。これは、露光装置の近傍の所定の位置に、複数の感光性平版印刷版を載置しておくと、例えば吸盤等を用いて感光性平版印刷版を上から順に一枚ずつ取り出し、自動的に露光装置へ供給するものである。
【０００３】
印刷版の載置台には、縦置きと横置きがあり、また、載置台に印刷版を載置した状態で印刷版の販売者から使用者に供給される場合と、複数の印刷版を包装外箱に梱包した状態で、印刷版の販売者から使用者へ供給され、使用者の側で、外箱を開けて印刷版を取り出し、露光装置へ供給するための印刷版の載置台に載置する場合がある。一方、レーザーによりデジタル画像を直接感光性平版印刷版に露光し、画像を形成する方法が広く利用されるようになった。このような画像形成方法に用いられる印刷版は一般にはＣＴＰ版（Ｃｏｍｐｕｔｅｒ ｔｏ ｐｌａｔｅ）と称されているが、ＣＴＰ版の一例としては例えば、特開平７−２８５２７５号公報、同９−４３８４７号公報、同１０−２６８５１２号公報等には、感光層に少なくともアルカリ可溶性樹脂と、画像露光光源の光を吸収して熱に変換する光熱変換物質とを含有するポジ型感光性平版印刷版が提案されている。
【０００４】
最近、ＣＴＰ版を露光するレーザー露光装置に給版するための載置台は、横置きでしかも使用者が載置するタイプのものが見られるようになってきた。そしてこのような載置台に印刷版を載置する際には、露光装置上で感光層面を露光源に向けてセットするために、印刷版を裏向きに、即ち感光層面を下向きの状態で載置台に載置する必要がある。ところで、印刷版の製造者が、完成した印刷版を梱包する場合、感光層面を上にして、通常数十枚から数百枚を一つの包装用外箱に梱包するので、梱包された箱全体の重量は相当大きいものとなる。従って、一旦梱包された印刷版は、製造者から使用者へ輸送される間は、平行移動となるのが普通であり、使用者へ供給された時点でも、感光層面が上となっている。
【０００５】
従来用いられてきた包装用外箱は、感光層面側にのみ開封面があるために、感光性層面が上になった状態、即ち製造者から運ばれてきた状態のまま開封することになる。そして、使用者が載置台に印刷版をセットしようとする際、感光層面を下に向けてセットする必要がある場合には、開封した後に複数の印刷版を裏返して載置する必要があるが、印刷版の重量が大きい場合には、裏返す作業が困難であり、しかも裏返す際に複数の印刷版のうちの幾つかがずれたり、さらにはそれが作業者にあたるなどする可能性があり、安全上の問題もあった。
【発明の開示】
【発明が解決しようとする課題】
【０００６】
本発明の目的は、露光装置等に印刷版を供給する印刷版の載置台に、印刷版を載置する作業を、容易且つ安全に行うことができる感光性平版印刷版用包装外箱を提供することにある。
【課題を解決するための手段】
【０００７】
本発明の要旨は、複数枚の感光性平版印刷版を重ね合わせた堆積物を包装するための包装外箱であって、開封面を、感光性層側の面及び支持体側の面の何れの側にも有することを特徴とする感光性平版印刷版用包装外箱に存する。本発明の別の要旨は、複数枚の感光性平版印刷版を重ね合わせた堆積物を包装するための包装外箱であって、開封面を側面に有することを特徴とする感光性平版印刷版用包装外箱に存する。また、本発明の別の要旨は、感光性平版印刷版用包装外箱を開封し、感光性平版印刷版を取り出し、該感光性平版印刷版を露光装置へ供給するための載置台に載置する方法であって、該包装外箱が、感光層側の面が上になっている状態から該包装外箱を上下逆にして支持体側の面を上にし、該包装外箱を開封して感光性平版印刷版を取り出すことを特徴とする感光性平版印刷版の載置方法に存する。
【発明の効果】
【０００８】
本発明の包装外箱及び、それを用いた感光性平版印刷版の載置方法により、露光装置等に印刷版を供給する印刷版の載置台に、印刷版を載置する作業を、容易且つ安全に行うことができる。
【発明を実施するための最良の形態】
【０００９】
以下、本発明を詳細に説明する。本発明の感光性平版印刷版の包装用外箱は、中に入っている複数枚の感光性平版印刷版の堆積物が、感光層面が上の状態であっても、支持体面が上の状態であっても開封できることを特徴としている。支持体側が上の状態であっても開封できるように設計されていれば、その方法は問わないが、例えば外箱の開口部をテープで張り合わせる方法、外箱の一部にミシン目を設ける方法等が挙げられる。外箱の全体的な強度を保つためには、開口部はできるだけ少ない方がよいので、感光層面側あるいは支持体面側の何れか一方に開口部がある場合には、他の一方は非開口部であって開封することができるようなもの例えばミシン目等を施したものであるのが好ましい。
【００１０】
また、外箱の強度を保つために、４面の側面の内少なくとも対向する２面の内側に強度保持材を有することが好ましい。なお、本明細書中、開口部とは、外箱を組み立てたときに開いている部分で、どの様な形状の外箱であっても少なくとも１つ有している。印刷版を包装した後に開口部は、テープによりあるいは、のりしろを設けて接着することにより閉じられる。また、開封面とは、開封を容易にするような処理を施されている部分を有する面である。開口部を有する面は、開口部を相当強く接着する以外は通常開封面となる。図１は、包装外箱に梱包される複数枚の感光性平版印刷版の堆積物である。通常、それぞれの感光性平版印刷版は、一つの印刷版の感光層面と、次の印刷版の支持体面とが互いに面し、重なっている。また、通常一つの印刷版の感光層面と、次の印刷版の支持体面の間には、感光層面を傷つけることを防ぐために紙等の保護材を重ね合わせている。
【００１１】
この印刷版の堆積物の輸送を簡便にするために、これらを段ボール紙等で梱包するが、梱包した後の形状は、多くの場合図３乃至図８に示すように直方体となる。典型的には、感光層面（表面）と、支持体面（裏面）が最も面積の広い面となる。本明細書中では、感光層面と支持体面をつなぐ４つの面を側面と称する。図２は、包装される複数枚の感光性平版印刷版の堆積物が梱包される直前の様子を示している。通常、感光性平版印刷版は出荷前に最終的な感光層表面の検査を行うので、感光層面が上になっており、そのまま包装用外箱に入れられ、結果的に感光層面が上となる状態で印刷版が堆積され、梱包される。
【００１２】
従来の包装外箱の一例（以下、包装外箱Ａと称す）を図３に示す。この包装用外箱Ａは、展開すると平面となるが、所定の形状と大きさに決められている以外は、元々の開口部以外には開封を容易にするような処理が施されていない。この包装用外箱Ａを用いて、複数枚の感光性平版印刷版の堆積物を梱包する場合、感光層面が所謂観音開きとなっており、ほぼ中間地点であわさるので、これをテープ等の接着部材で封をして空かないようにする。従って、この包装外箱Ａの支持体側の面は、開封を容易にする何らの処理も施されていない通常の面となる。
【００１３】
包装外箱Ａを用いて感光性平版印刷版を包装した場合、露光装置へ印刷版を供給するための載置台へ感光性平版印刷版を感光層面を下向きに載置するには、図４に示すように、まず、感光層側の開封口を開封し、印刷版を取り出す。そして、複数枚の印刷版を上下逆にして支持体側の面を上にし載置する。この場合、印刷板の重量が重く、しかも印刷板の支持体は通常アルミニウムであり、角部を有するので取り扱いが困難かつ危険である。また、印刷板を一枚ずつ裏返して載置する方法も採ることができるが、時間を要してしまう。
【００１４】
次に、本発明の包装外箱の一例（以下、包装用外箱Ｂと称す）を図５に示す。この包装外箱Ｂは包装外箱Ａと同様に、展開すると平面となるが、所定の形状と大きさに決められている以外に、一部ミシン目が備えられている。この包装用外箱Ｂを用いて、複数枚の感光性平版印刷版の堆積物を梱包する場合、感光層面が所謂観音開きとなっており、ほぼ中間地点であわさるので、これをテープ等の接着部材で封をして空かないようにする。一方、この包装用外箱Ｂの支持体側の面には、ミシン目が備えられており、後に支持体面が上になった場合、支持体面で開封し感光性平版印刷版を取り出すことができる。
【００１５】
次に、本発明の包装外箱の別の一例（以下、包装外箱Ｃと称す）を図６に示す。この包装外箱Ｃもまた、展開すると平面となるが、展開した形は包装用外箱Ａあるいは包装外箱Ｂとは異なっている。この包装外箱Ｃを用いて、複数枚の感光性平版印刷版の堆積物を梱包する場合、側面の一つで箱が閉じられるようになっているので、これをテープ等の接着部材で封をして空かないようにする。そして、側面の一つで箱が閉じられているので、後に感光層面が上になった場合でも、支持体面が上になった場合でも、側面から開封し、感光性平版印刷版を取り出すことができる。
【００１６】
さらに、本発明の包装外箱の別の例を図７（包装外箱Ｄ）、図８（包装外箱Ｅ）、及び図９（包装外箱Ｆ）に示すが、これらは、前述の包装外箱Ｂと同様に支持体側の面にはミシン目が備えられているものであり、ミシン目の形状が異なるものである。また、本発明の外箱の開封部としては、ミシン目の他にも、糊代を設けて包装外箱の一部を重ね合わせて糊付けしたものを用いることもできる。本発明の包装外箱を用いて感光性平版印刷版を包装した場合、露光装置へ印刷版を供給するための載置台へ感光性平版印刷版を載置する方法の一態様は、図１０に示すように、包装外箱が、感光層側の面が上になっている状態から該包装外箱を上下逆にして支持体側の面を上にし、該包装外箱を開封して感光性平版印刷版を取り出す方法が採られる。そして、載置台に置かれた印刷版は、図１１に示す如く自動給版装置により、露光装置のドラムにセットされる。
【００１７】
この方法によれば、包装外箱に入っている複数の感光性平版印刷版を一度に裏返しに、即ち支持体面を上にし、その状態で複数枚の感光性平版印刷版を取り出すことができるので、そのまま平行移動させることにより露光装置へ印刷版を供給するための載置台へ載置することができる。なお、支持体面を上にするるは、包装外箱に印刷版を包装した状態で１回だけ上下逆転させれば良いので、印刷版の使用者が載置台に載置する直前に包装外箱を逆転させてもよいし、製造者あるいは販売者が、使用者に供給する前に予め包装外箱を逆転させておき、使用者はそのままで開封して印刷版を取り出してもよい。ただし、いずれの場合であっても、支持体面側から容易に開封することができるような包装外箱を用いる必要がある。
【００１８】
本発明の包装外箱は、如何なる感光性平版印刷版の包装にも用いることができるが、特にレーザー露光装置の印刷版の載置台が横置きであり、また感光層面を下向きに、支持体面を上向きに載置する場合が多いので、レーザーによって露光される感光性平版印刷版に用いるのが好ましい。また、レーザーによって露光される感光性平版印刷版の内でもポジ型である場合には、ネガ型に比べ感光層が弱い場合が多く、露光装置に自動装填する際に、感光層側を吸着して印刷版を移動させると感光層が傷つきやすいので、支持体側の面を吸着して移動させることとなり、従って通常感光性平版印刷版の支持体面を上向きに載置する。そのため、レーザー露光されるポジ型感光性平版印刷版の包装には、特に本発明の包装外箱を用いることが好ましい。
【００１９】
本発明の包装外箱に包装される感光性平版印刷版は、支持体上に感光性組成物を塗設してなるものであり、従来から広く使用されているポジ型あるいはネガ型の感光性平版印刷版が含まれる。支持体としてはアルミニウムが好ましい。また、レーザーにより露光されるポジ型感光性平版印刷版としては、感光性組成物の成分として、少なくともアルカリ可溶性樹脂、及び近赤外光を吸収して熱を発生する光熱変換物質を含むものが好ましく用いられる。
【００２０】
アルカリ可溶性樹脂としては、例えば、ノボラック樹脂、レゾール樹脂、ポリビニルフェノール樹脂、アクリル酸誘導体の共重合体などが挙げられ、これらを単独で或いは併用して用いることができる。光熱変換物質としては例えば、窒素原子、酸素原子または硫黄原子を含む複素環などがポリメチン：（−ＣＨ＝）ｎで結合された、広義の所謂シアニン系色素が好ましく用いられる。
【実施例】
【００２１】
以下本発明を実施例により具体的に説明するが、これは本発明は何ら限定するものではない。
【００２２】
実施例１
大きさ８００ｍｍ×１６００ｍｍ、厚さ２ｍｍのポジ型感光性平版印刷版に保護材を重ね合わせた。大きさ８５０ｍｍ×１６５０ｍｍ、厚さ３００ｍｍであって、開封部の処理を図３に示すように施した包装外箱に、保護材を重ね合わせたポジ型感光性平版印刷版を３００枚いれ、外箱を組み立て、感光層側にある開口部をテープでとめて封をした。作業員１名でこの箱の上下を逆転させ支持体面を上にし、外箱の支持体面側に施されているミシン目を開封し、ポジ型感光性平版印刷版を取り出した。次に、作業員２名で３００枚の印刷版を露光装置の載置台に載置した。これらの作業は、きわめて容易にしかも安全に行うことができた。
【図面の簡単な説明】
【００２３】
【図１】複数枚の感光性平版印刷版の堆積物。
【図２】印刷版が梱包される直前の様子。
【図３】従来の包装外箱（包装外箱Ａ）。
【図４】従来の包装外箱を用いて梱包した印刷版を開封して取り出し、載置台に載置する手順を示す。
【図５】本発明の包装外箱の一例（包装外箱Ｂ）。
【図６】本発明の包装外箱の別の一例（包装外箱Ｃ）。
【図７】本発明の包装外箱の別の一例（包装外箱Ｄ）。
【図８】本発明の包装外箱の別の一例（包装外箱Ｅ）。
【図９】本発明の包装外箱の別の一例（包装外箱Ｆ）。
【図１０】本発明の包装外箱を用いて梱包した印刷版を開封して取り出し、載置台に載置する手順を示す。
【図１１】印刷版の載置台から、印刷版を露光装置のドラムへ供給する様子を示す。
【符号の説明】
【００２４】
１ 複数枚の感光性平版印刷版の堆積物の感光層面側
２ 包装外箱開口部をテープ止めしたもの
３ ミシン目
４ 包装外箱
５ 補強材
６ 露光装置へ印刷版を供給する載置台（供給カセット）
７ 露光装置のドラム
８ レーザー
９ 印刷版の加え部
【図１】
2006168376.tif 000003
【図２】
2006168376.tif 000004
【図３】
2006168376.tif 000005
【図４】
2006168376.tif 000006
【図５】
2006168376.tif 000007
【図６】
2006168376.tif 000008
【図７】
2006168376.tif 000009
【図８】
2006168376.tif 000010
【図９】
2006168376.tif 000011
【図１０】
2006168376.tif 000012
【図１１】
2006168376.tif 000013